(57)【要約】【課題】消費電力を節減すると共に画質を向上させることができる液晶表示パネルを提供する。【解決手段】ゲートラインとデータラインの交差部に形成された薄膜トランジスタと、その薄膜トランジスタに接続された画素電極を含む液晶セルと、データラインとその左側に隣接した画素電極の間に形成された第１寄生キャパシタと、データラインとその右側に隣接した画素電極の間に形成された第２寄生キャパシタを具備して、データラインと左右側に隣接した画素電極の中からいずれかの画素電極に前記データラインに隣接するように形成された溝を具備することを特徴とする。【選択図】        図８
2004163888.tif 000002
【特許請求の範囲】
【請求項１】
ゲートラインとデータラインの交差部に形成された薄膜トランジスタと、その薄膜トランジスタに接続された画素電極を含む液晶セルと、前記データラインとその左側に隣接した画素電極の間に形成された第１寄生キャパシタと、前記データラインとその右側に隣接した画素電極の間に形成された第２寄生キャパシタを具備すると共に、前記データラインとその左右側に隣接した画素電極の中からいずれかの画素電極に前記データラインと隣接するように形成された溝を具備することを特徴とする液晶表示パネル。
【請求項２】
前記液晶セルは、左側に隣接したデータラインと前記薄膜トランジスタを通して接続された液晶セルで構成される第１水平ラインと、右側に隣接したデータラインと前記薄膜トランジスタを通して接続された液晶セルで構成される第２水平ラインを具備することを特徴とする請求項１記載の液晶表示パネル。
【請求項３】
前記溝は、前記第１水平ラインでは前記データラインの左側の画素電極に形成され、前記第２水平ラインでは前記データラインの右側の画素電極に形成されたことを特徴とする請求項２記載の液晶表示パネル。
【請求項４】
前記第１水平ラインにおいて前記データラインとその右側の画素電極は前記データラインと同一極性の画素信号を、前記データラインの左側の画素電極はデータラインと反対の極性の画素信号を充電して、前記第２水平ラインにおいて前記データラインの左側の画素電極は前記データラインと同一極性の画素信号を、前記データラインの右側の画素電極は前記データラインと反対の極性の画素信号を充電することを特徴とする請求項２記載の液晶表示パネル。
【請求項５】
前記溝は、その溝が形成された画素電極の前記データラインと向い合う辺の長さがそのデータラインと向い合う他の画素電極の辺の長さと大略同一するように形成されたことを特徴とする請求項１記載の液晶表示パネル。
【請求項６】
前記溝は、前記第１寄生キャパシタと第２寄生キャパシタとの間の容量偏差が最小になるように形成されたことを特徴とする請求項１記載の液晶表示パネル。
【請求項７】
前記第１水平ラインと第２水平ラインは、少なくとも１水平ライン単位に交番して配置されたことを特徴とする請求項１記載の液晶表示パネル。
【発明の詳細な説明】
【０００１】
【発明の属する技術分野】
本発明は液晶表示装置に関わり、特に、消費電力を節減すると共に画質を向上させることができる液晶表示パネルに関するものである。
【０００２】
【従来の技術】
液晶表示装置は、電界を利用して誘電異方性を有する液晶の光透過率を調節することで画像を表示するようになる。このために、液晶表示装置は、液晶セルがマトリックス形態に配列された液晶表示パネルと、液晶表示パネルを駆動するための駆動回路とを具備する。
【０００３】
液晶表示パネルは、液晶セルが画素信号により光透過率を調節することで画像を表示するようになる。駆動回路は、液晶表示パネルのゲートラインを駆動するためのゲートキドライバーと、データラインを駆動するためのデータキドライバーと、ゲートキドライバー及びデータキドライバーにタイミング制御信号と画素データを供給するタイミング制御部と、電源電圧を供給する電源部とを具備する。
【０００４】
具体的に、液晶表示装置は、図１に示すように、液晶セル（Ｃｌｃ）がマトリックス形態で配列された液晶表示パネル（２）と、液晶表示パネル（２）のゲートライン（ＧＬ１乃至ＧＬｎ）を駆動するためのゲートキドライバー（４）と、液晶表示パネル（２）のデータライン（ＤＬ１乃至ＤＬｍ）を駆動するためのデータキドライバー（６）とを具備する。
【０００５】
図１において、液晶表示パネル（２）は、ｎ個のゲートライン（ＧＬ１乃至ＧＬｎ）とｍ個のデータライン（ＤＬ１乃至ＤＬｍ）の交差により定義される領域ごとに形成されてマトリックス形態に配列された薄膜トランジスタ（ＴＦＴ）と液晶セル（Ｃｌｃ）とを具備する。薄膜トランジスタ（ＴＦＴ）は、ゲートライン（ＤＬ１乃至ＧＬｎ）からのスキャン信号に応答してデータライン（ＤＬ１乃至ＤＬｍ）からの画素信号を液晶セル（Ｃｌｃ）に供給する。
【０００６】
液晶セル（Ｃｌｃ）は、液晶を間に置いて対面する共通電極と薄膜トランジスタに接続された画素電極を含めて等価的には液晶容量キャパシタ（Ｃｌｃ）で表示される。ゲートキドライバー（４）は、タイミング制御部（８）からのゲート制御信号に応答してゲートライン（ＧＬ１乃至ＧＬｎ）に順次供給されるスキャン信号を発生する。
【０００７】
データキドライバー（６）は、タイミング制御部（８）からのデータ制御信号に応答してタイミング制御部（８）からの画素データをアナログ画素信号に変換する。この場合、データキドライバー（６）は、ガンマ電圧発生部（図示しない）から供給されるガンマ電圧を利用して画素データを画素信号に変換する。そして、データキドライバー（６）は、変換された画素信号をゲートライン（ＧＬ）にスキャン信号が供給される度にデータライン（ＤＬ１乃至ＤＬｍ）に供給する。
【０００８】
タイミング制御部（８）は、入力される垂直同期信号及び水平同期信号等を利用してゲート制御信号とデータ制御信号を発生してゲートキドライバー（４）及びデータキドライバー（８）のタイミングを制御する。また、タイミング制御部（８）は、入力される画素データを整列してデータキドライバー（６）に供給する。
【０００９】
このような液晶表示装置は、液晶の劣化を防止すると共に表示品位を向上させるために、液晶表示パネルをインバージョン駆動方法で駆動する。インバージョン駆動方法としては、フレームキインバージョン方式（Ｆｒａｍｅ  Ｉｎｖｅｒｓｉｏｎ  Ｓｙｓｔｗｍ）、ライン（コラム）キインバージョン方式（Ｌｉｎｅ（Ｃｏｌｕｍｎ）  Ｉｎｖｅｒｓｉｏｎ  Ｓｙｓｔｅｍ）、そしてドットキインバージョン方式（Ｄｏｔ  Ｉｎｖｅｒｓｉｏｎ  Ｓｙｓｔｅｍ）が利用される。
【００１０】
フレームキインバージョン駆動方法は、図２Ａ及び図２Ｂに図示するように、液晶セルの極性が１フレームの間では同一で、フレームごとに反転されるようにする。このようなフレームキインバージョン駆動方法は、フレーム単位にフリッカが発生される問題点がある。
【００１１】
ラインキインバージョン駆動方法は、液晶セルの極性が、図３Ａ及び図３Ｂに図示するように、１水平ラインの間では同一で、水平ラインごとに、そしてフレームごとに反転されるようにする。このようなラインキインバージョン駆動方式は、水平方向の液晶セル間のクロストークが存在することにより、水平縞模様パターンにフリッカが発生される問題点がある。
【００１２】
コラムキインバージョン駆動方法は、液晶セルの極性が、図４Ａ及び図４Ｂに図示するように、１コラムラインの間では同一、でコラムラインごとに、そしてフレームごとに反転されるようにする。このようなコラムキインバージョン駆動方式は、垂直方向の液晶セル間のクロストークが存在することにより、垂直縞模様パターンにフリッカが発生される問題点がある。
【００１３】
ドットキインバージョン駆動方法は、図５Ａ及び図５Ｂに図示するように、液晶セルの極性が水平及び垂直方向に隣接するすべての液晶セルと相反されて、フレームごとに反転されるようにする。このようなドットキインバージョン駆動方法は、垂直及び水平方向に隣接した液晶セルの間に発生されるフリッカが相互相殺されることで、他のインバージョン方法に比べてすぐれた画質の画像を提供する。
【００１４】
【発明が解決しようとする課題】
しかし、ドットキインバージョン駆動方式は、データキドライバーからデータラインに供給される画素電圧信号の極性が水平及び垂直方向に反転されるので他のインバージョン方法に比べて画素信号の変動量、すなわち画素信号の周波数が大きいために消費電力が大きいとする短所がある。
【００１５】
従って、本発明の目的は、消費電力を節減すると共に画質を向上させることができる液晶表示パネルを提供することにある。
【００１６】
【課題を解決するための手段】
前記目的を達成するために、本発明に係る液晶表示パネルは、ゲートラインとデータラインの交差部に形成された薄膜トランジスタと、その薄膜トランジスタに接続された画素電極を含む液晶セルと、データラインとその左側に隣接した画素電極の間に形成された第１寄生キャパシタと、データラインとその右側に隣接した画素電極の間に形成された第２寄生キャパシタを具備して、データラインとその左右側に隣接した画素電極の中からいずれかの画素電極に前記データラインと隣接するように形成された溝を具備することを特徴とする。
【００１７】
ここで、液晶セルは、左側に隣接したデータラインと、前記薄膜トランジスタを通して接続された液晶セルで構成される第１水平ラインと、右側に隣接したデータラインと、前記薄膜トランジスタを通して接続された液晶セルで構成される第２水平ラインを具備することを特徴とする。
【００１８】
前記溝は、前記第１水平ラインでは、データラインの左側画素電極に形成されて、前記第２水平ラインでは、データラインの右側の画素電極に形成されたことを特徴とする。
【００１９】
そして、前記第１水平ラインにおいてデータラインの右側の画素電極は、データラインと同一極性の画素信号を、データラインの左側の画素電極は、データラインと反対の極性の画素信号を充電して、前記第２水平ラインにおいてデータラインの左側の画素電極は、データラインと同一極性の画素信号を、データラインの右側の画素電極は、データラインと反対の極性の画素信号を充電することを特徴とする。
【００２０】
前記溝は、その溝が形成された画素電極のデータラインと向い合う辺の長さがそのデータラインと向い合う他の画素電極の辺の長さと大略同一するように形成されたことを特徴とする。
【００２１】
前記溝は、第１寄生キャパシタと第２寄生キャパシタの間の容量偏差が最小になるように形成されたことを特徴とする。
【００２２】
前記第１水平ラインと第２水平ラインは、少なくとも１水平ライン単位として交番的に配置されたことを特徴とする。
【００２３】
消費電力減少のために液晶セルがデータラインに沿ってジグザグ型に配列された本発明に係る液晶表示パネルは、画素電極に溝を形成してデータラインと左右側画素電極との間に形成される第１及び第２寄生キャパシタ（Ｃｄｐ１、Ｃｄｐ２）との間の容量偏差を最小化できるようになる。これにより、本発明に係る液晶表示パネルは、第１及び第２寄生キャパシタ（Ｃｄｐ１、Ｃｄｐ２）との間の容量偏差による垂直クロストーク現象とともに非対称光漏れを最小化して画質を向上させることができるようになる。
【００２４】
【発明の実施の形態】
本発明の好ましい実施の形態を説明するのに先立って本発明の直接的な技術背景になる液晶表示装置を見る事にする。
【００２５】
液晶表示装置は、液晶セルを交流駆動して液晶劣化を防止しながらも画質を向上させるためにドットキインバージョン駆動方法を主に採用する。しかし、ドットキインバージョン駆動方法は、液晶セル単位で画像信号の極性を反転させなければならないので画素信号の変動量が大きくなるようになって消費電力が大きいという問題点を抱いている。
【００２６】
このようなドットキインバージョン駆動方法の大きい消費電力問題を解決するために、データラインをコラムキインバージョン方式に駆動しながら液晶セルをドットキインバージョン方式で駆動できる液晶表示装置とその駆動方法を説明する。
【００２７】
図６は、本発明に係る液晶表示装置（以下、？Ｚ−インバージョン液晶表示装置″と言う）を図示したものである。図６に図示された液晶表示装置は、液晶セルマトリックスを持つ液晶表示パネル（１２）と、液晶表示パネル（１２）のゲートライン（ＧＬ１乃至ＧＬｎ）を駆動するためのゲートキドライバー（１４）と、液晶表示パネル（１２）のデータライン（ＤＬ１乃至ＤＬｍ＋１）を駆動するためのデータキドライバー（１６）と、ゲートキドライバー（１４）及びデータキドライバー（１６）を制御するためのタイミング制御部（１８）とを具備する。
【００２８】
液晶表示パネル（１２）は、ゲートライン（ＧＬ１乃至ＧＬｎ）とデータライン（ＤＬ１乃至ＤＬｍ＋１）の交差により定義される領域ごとに形成された薄膜トランジスタ（ＴＦＴ）と、画素電極（ＰＸＬ）を含む液晶セルとを具備する。薄膜トランジスタ（ＴＦＴ）は、ゲートライン（ＧＬ）からのスキャン信号に応答してデータライン（ＤＬ１乃至ＤＬｍ＋１）からの画素信号を画素電極（ＰＸＬ）に供給する。画素電極（ＰＸＬ）は、画素信号に応答して共通電極（図示しない）との間に位置する液晶を駆動することで光の透過率を調節するようになる。このような液晶セルは、薄膜トランジスタ（ＴＦＴ）を通して垂直方向に沿って隣接したデータライン（ＤＬ）と交番的に接続される。
【００２９】
例えば、奇数番目のゲートライン（ＧＬ１、ＧＬ３、ＧＬ５、．．．）に接続された奇数番目の水平ラインの液晶セルは、左側に隣接したデータライン（ＤＬｉ）（ここで、ｉは、陽の正数）に接続されて画素信号を供給される。反面に、偶数番目のゲートライン（ＧＬ２、ＧＬ４、ＧＬ６、．．．）に接続された偶数番目の水平ラインの液晶セルは、右側に隣接するデータライン（ＤＬｉ＋１）に接続されて画素信号を供給される。
【００３０】
タイミング制御部（１８）は、ゲートキドライバー（１４）及びデータキドライバー（１６）を制御するタイミング制御信号を発生して、データキドライバー（１６）に画素データ信号を供給する。タイミング制御部（１８）で発生するゲートキタイミング制御信号としては、ゲートキスタートパルス（ＧＳＰ）、ゲートキシフトキクロック信号（ＧＳＣ）、ゲート出力イネーブル信号（ＧＯＥ）が含まれる。タイミング制御部（１８）で発生するデータキタイミング制御信号としては、ソースキスタートパルス（ＳＳＰ）、ソースキシフトキクロック信号（ＳＳＣ）、ソース出力イネーブル信号（ＳＯＥ）、極性制御信号（ＰＯＬ）等が含まれる。
【００３１】
ゲートキドライバー（１４）は、前記ゲートキタイミング制御信号を利用してゲートライン（ＧＬ１乃至ＧＬｎ）にスキャン信号を順次的に供給する。これにより、ゲートキドライバー（１４）は、そのスキャン信号に応答して薄膜トランジスタ（ＴＦＴ）が水平ライン単位で駆動されるようにする。
【００３２】
データキドライバー（１６）は、入力された画素データをアナログ画素信号に変換してゲートライン（ＧＬ）にスキャン信号が供給される１水平期間ごとに１水平ライン分の画素信号をデータライン（ＤＬ１乃至ＤＬｍ＋１）に供給する。この場合、データキドライバー（１６）は、ガンマ電圧発生部（図示しない）から供給されるガンマ電圧を利用して画素データを画素信号に変換するようになる。
【００３３】
このようなデータキドライバー（１６）は、コラムキインバージョン方式に画素信号を供給して、データライン（ＤＬ１乃至ＤＬｍ＋１）のそれぞれに供給される画素信号が隣接したデータライン（ＤＬ）とは、相反した極性を持って、その極性がフレーム単位で反転させるようにする。すなわち、データキドライバー（１６）は、奇数データライン（ＤＬ１、ＤＬ３、．．．）と偶数データライン（ＤＬ２、ＤＬ４、．．．）に相互相反された極性の画素信号を供給して、そのデータライン（ＤＬ１乃至ＤＬｍ＋１）に供給される画素信号の極性をフレーム単位で反転させるようになる。
【００３４】
この場合、画素電極（ＰＸＬ）がコラムキインバージョン方式に画素信号が供給されるデータライン（ＤＬ１乃至ＤＬｍ＋１）を基準にジグザグ型に配列されるのでその画素電極（ＰＸＬ）を含む液晶セルは、ドットキインバージョン方式に駆動される。
【００３５】
特に、データキドライバー（１６）は、データライン（ＤＬ１乃至ＤＬｍ＋１）につれてジグザグ型に配列された画素電極（ＰＸＬ）に正確な画素信号を供給するために水平期間ごとに交番的に画素信号の出力チャンネルを変更するようになる。
【００３６】
具体的に、データライン（ＤＬ１乃至ＤＬｍ＋１）の右側で接続された液晶セル（ＰＸＬ）に画素信号を供給する場合に、データキドライバー（１６）は、第１乃至第ｍデータライン（ＤＬ１乃至ＤＬｍ）にｍ個の有效画素信号を、第ｍ＋１データライン（ＤＬｍ＋１）にブランク信号を供給するようになる。
【００３７】
これとは、異なり、データライン（ＤＬ１乃至ＤＬｍ＋１）の左側で接続された液晶セル（ＰＸＬ）に画素信号を供給する場合に、データキドライバー（１６）は、ｍ個の有效画素信号を１チャンネルずつ右側にシフトさせ第２乃至第ｍ＋１データライン（ＤＬ２乃至ＤＬｍ＋１）に供給して、第１データライン（ＤＬ１）には、ブランク信号を供給するようになる。ここで、ブランク信号は、定義されない（Ｄｏｎ’ｔ  ｃａｒｅ）信号を意味する。
【００３８】
これにより、Ｚ−インバージョン液晶表示装置は、ドットキインバージョン方式に駆動される液晶セル（ＰＸＬ）で画質が向上されて、データキドライバー（１６）は、コラムキインバージョン方式に画素信号を供給するので、ドットキインバージョン方式に画素信号を供給する場合より消費電力を著しく節減することができるようになる。
【００３９】
しかし、図６に図示されたＺ−インバージョン液晶表示装置では、データライン（ＤＬ）と左右側画素電極（ＰＸＬ）の間に形成される寄生キャパシタ（Ｃｄｐ）の間に容量偏差が発生するようになる。これは、データライン（ＤＬ）と左右側画素電極（ＰＸＬ）との間に寄生キャパシタ（Ｃｄｐ）が形成される面積が相違するためである。
【００４０】
例えば、データラインと左右側画素電極の間に形成される寄生キャパシタ（Ｃｄｐ）は、図７に図示するように、１データライン（ＤＬｋ）と左側画素電極（Ｐ１または、Ｐ３）の間に形成される第１寄生キャパシタ（Ｃｄｐ１）と、そのデータライン（ＤＬｋ）と右側画素電極（Ｐ２または、Ｐ４）の間に形成される第２寄生キャパシタ（Ｃｄｐ２）で構成される。ここで、第１及び第２寄生キャパシタ（Ｃｄｐ１、Ｃｄｐ２）は、その形成面積が相違するので相違する寄生容量を持っている。
【００４１】
具体的に、図７に図示するように、画素電極（Ｐ１、Ｐ２）がｉ番目のゲートライン（ＧＬｉ）によって駆動される薄膜トランジスタ（ＴＦＴ）を通して左側に隣接したデータライン（ＤＬｋ−１、ＤＬｋ）と接続された液晶セルからなる第１水平ライン（ＨＬ１）では、第１寄生キャパシタ（Ｃｄｐ１）が第２寄生キャパシタ（Ｃｄｐ２）より大きい寄生容量を持っている。これは、第１水平ライン（ＨＬ１）からデータライン（ＤＬｋ）と向い合う左側画素電極（Ｐ１）の辺の長さ（゜）が、そのデータライン（ＤＬｋ）と向い合う右側画素電極（Ｐ２）の辺の長さ（ケ）より長いからである。
【００４２】
すなわち、データライン（ＤＬｋ）と第１寄生キャパシタ（Ｃｄｐ１）を形成する左側画素電極（Ｐ１）の面積がそのデータライン（ＤＬｋ）と第２寄生キャパシタ（Ｃｄｐ２）を形成する右側画素電極（Ｐ２）の面積より大きいからである。これにより、電極面積と比例関係を持つ第１寄生キャパシタ（Ｃｄｐ１）と第２寄生キャパシタ（Ｃｄｐ２）の間に容量偏差が発生するようになる。
【００４３】
さらに、画素電極（Ｐ３、Ｐ４）が薄膜トランジスタ（ＴＦＴ）を通して右側に隣接したデータライン（ＤＬｋ、ＤＬｋ＋１）と接続された液晶セルからなる第２水平ライン（ＨＬ２）では、第２寄生キャパシタ（Ｃｄｐ２）が第１寄生キャパシタ（Ｃｄｐ１）より大きい寄生容量を持っている。これは、第２水平ライン（ＨＬ２）においてデータライン（ＤＬｋ）と向い合う右側画素電極（Ｐ４）の辺の長さ（β）が、そのデータライン（ＤＬｋ）と向い合う左側画素電極（Ｐ３）の辺の長さ（α）より長いからである。
【００４４】
すなわち、データライン（ＤＬｋ）と第２寄生キャパシタ（Ｃｄｐ２）を形成する右側画素電極（Ｐ４）の面積がそのデータライン（ＤＬｋ）と第１寄生キャパシタ（Ｃｄｐ１）を形成する左側画素電極（Ｐ１）の面積より大きいからである。これにより、電極面積と比例関係を持つ第２寄生キャパシタ（Ｃｄｐ２）と第１寄生キャパシタ（Ｃｄｐ１）の間に容量偏差が発生するようになる。
【００４５】
このような第１及び第２キャパシタ（Ｃｄｐ１、Ｃｄｐ２）の間の容量偏差によりデータライン（ＤＬ）の上の画素信号が歪曲されて、歪曲された画素信号が画素電極（Ｐ）に誘起されて充電される。この結果、Ｚ−インバージョン液晶表示装置の特定領域にクロストークキテストパターンを表示する場合、前記寄生容量偏差による垂直クロストークが発生して画質が低下される問題が発生するようになる。
【００４６】
また、データライン（ＤＬ）と画素電極（Ｐ）は、それら自分により発生される寄生キャパシタ（Ｃｄｐ）の容量を減らすために所定の離隔距離を置いて配置される。このため、データライン（ＤＬ）と画素電極（Ｐ）との間でバックライトから駆動されない液晶を経由した光漏れが発生するようになる。特に、第１及び第２寄生キャパシタ（Ｃｄｐ１、Ｃｄｐ２）の発生面積が相違するにより、それらを通する光漏れの量も相違するようになる。
【００４７】
例えば、第１水平ライン（ＨＬ１）では、相対的に容量が大きい第１寄生キャパシタ（Ｃｄｐ１）を通する光漏れの量が相対的に大きくて、第２水平ライン（ＨＬ２）では、相対的に容量が大きい第２寄生キャパシタ（Ｃｄｐ２）を通する光漏れの量が相対的に大きく示されるようになる。このように、水平ライン単位で第１及び第２寄生キャパシタ（Ｃｄｐ１、Ｃｄｐ２）による非対称光漏れが発生するにより画質が低下される問題が発生するようになる。
【００４８】
このようにＺ−インバージョン液晶表示装置で発生する寄生容量偏差による垂直クロストーク及び非対称光漏れを防止するために、本発明では、データライン（ＤＬｋ）を基準にした第１及び第２寄生キャパシタ（Ｃｄｐ１、Ｃｄｐ２）の寄生容量が同一になるように液晶表示パネルを設計するようになる。特に、本発明では、画素電極（Ｐ）の構造を変更して第１及び第２寄生キャパシタ（Ｃｄｐ１、Ｃｄｐ２）が同一な寄生容量を持つようにする。
【００４９】
図８は、本発明の実施の形態によるＺ−インバージョン液晶表示パネルの一部分を示す図である。図８に図示された液晶表示パネルは、ゲートライン（ＧＬ）とデータライン（ＤＬ）の交差により定義される領域ごとに形成された液晶セル（３２）を具備する。
【００５０】
液晶セル（３２）のそれぞれは、薄膜トランジスタ（ＴＦＴ）と画素電極（Ｐ）を含む。薄膜トランジスタ（ＴＦＴ）は、ゲートライン（ＧＬ）からのスキャン信号に応答してデータライン（ＤＬ）からの画素信号を画素電極（Ｐ）に供給する。画素電極（Ｐ）は、供給された画素信号に応答して共通電極（図示しない）との間に位置する液晶を駆動するようになる。これにより、液晶セル（３２）は、液晶の駆動によって光透過率を調節して画像を示すようになる。
【００５１】
特に、ドットキインバージョン駆動のために液晶セル（３２）は、垂直方向に沿って隣接したデータライン（ＤＬｋ−１、ＤＬｋ、ＤＬｋ＋１）と交番的に接続される。すなわち、液晶表示パネルは、左側に隣接したデータライン（ＤＬｋ−１、ＤＬｋ）に接続された液晶セル（３２）で構成される第１水平ライン（ＨＬ１）と、右側に隣接したデータライン（ＤＬｋ、ＤＬｋ＋１）に接続された液晶セル（３２）で構成される第２水平ライン（ＨＬ２）を具備する。
【００５２】
このような第１水平ライン（ＨＬ１）と第２水平ライン（ＨＬ２）は、ドットキインバージョン駆動の場合、図８に図示されたように、１水平ライン単位で交番して配列される。これと異なり、２ドットまたは、３ドット以上のインバージョン駆動の場合、第１水平ラインと第２水平ラインは、２または、３以上の水平ライン単位で交番して配置される。
【００５３】
このようなデータライン（ＤＬ）と画素電極（Ｐ）の間には、寄生キャパシタ（Ｃｄｐ）が存在するようになる。寄生キャパシタ（Ｃｄｐ）は、保護膜（図示しない）を挟むデータライン（ＤＬ）と左側の画素電極（Ｐ）によって形成された第１寄生キャパシタ（Ｃｄｐ１）と、保護膜（図示しない）を挟むそのデータライン（ＤＬ）と右側の画素電極（Ｐ）によって形成された第２寄生キャパシタ（Ｃｄｐ２）を具備する。
【００５４】
ここで、第１及び第２寄生キャパシタ（Ｃｄｐ１、Ｃｄｐ２）との間の容量偏差を防止するために、第１及び第２寄生キャパシタ（Ｃｄｐ１、Ｃｄｐ２）は、同一な容量を持つように形成される。このために、相対的に容量が大きい寄生キャパシタを形成する画素電極（Ｐ）がデータライン（ＤＬ）に隣接した一側部に溝（３４）を具備するにより、その寄生キャパシタの容量が減ってなるようにする。
【００５５】
例えば、図８に図示するように、第１水平ライン（ＨＬ１）において、データライン（ＤＬｋ）と相対的に容量が大きい第１寄生キャパシタ（Ｃｄｐ１）を形成する左側画素電極（Ｐ１）がそのデータライン（ＤＬｋ）に隣接した一側部に溝（３４）を具備するようにする。これにより、データライン（ＤＬｋ）と左側画素電極（Ｐ１）との間の第１寄生キャパシタ（Ｃｄｐ１）の容量が減るようになり、そのデータライン（ＤＬｋ）と右側画素電極（Ｐ２）との間の第２寄生キャパシタ（Ｃｄｐ２）との容量偏差が減るようになる。
【００５６】
この結果、第１水平ライン（ＨＬ１）では、第１及び第２寄生キャパシタ（Ｃｄｐ１、Ｃｄｐ２）との間の容量偏差が最小化できるようになる。ここで、データライン（ＤＬｋ）の左側画素電極（Ｐ１）に形成される溝（３４）の位置は、図８に図示するように、そのデータライン（ＤＬｋ）に隣接した一側部の上部または、下部等、その一側部のどの地点であっても関係ない。
【００５７】
一方、図８に図示するように、第２水平ライン（ＨＬ２）において、データライン（ＤＬｋ）と相対的に容量が大きい第２寄生キャパシタ（Ｃｄｐ２）を形成する右側画素電極（Ｐ４）がそのデータライン（ＤＬｋ）に隣接した一側部に溝（３４）を具備するようにする。
【００５８】
これにより、データライン（ＤＬｋ）と右側画素電極（Ｐ４）との間の第２寄生キャパシタ（Ｃｄｐ２）の容量が減るようになり、そのデータライン（ＤＬｋ）と左側画素電極（Ｐ３）との間の第１寄生キャパシタ（Ｃｄｐ１）との容量偏差が減るようになる。この結果、第２水平ライン（ＨＬ２）でも第１及び第２寄生キャパシタ（Ｃｄ１、  Ｃｄｐ２）の間の容量偏差を最小化できるようになる。
【００５９】
ここで、データライン（ＤＬｋ）の左側画素電極（Ｐ１）に形成される溝（３４）の位置は、図８に図示するように、そのデータライン（ＤＬｋ）に隣接した一側部の上部または、下部等、その一側部のどの地点であっても関係ない。
【００６０】
このように、本発明に係るＺ−インバージョン液晶表示パネルは、データライン（ＤＬ）と相対的に大きい容量の寄生キャパシタを形成する画素電極の面積を減少させるようになる。これにより、データライン（ＤＬ）と左右側画素電極（Ｐ）との間に形成される第１及び第２寄生キャパシタ（Ｃｄｐ１、Ｃｄｐ２）との間の容量偏差を最小化することができるようになる。これにより、第１及び第２寄生キャパシタ（Ｃｄｐ１、Ｃｄｐ２）との間の容量偏差による垂直クロストーク現象とともに非対称光漏れを防止して画質を向上させることができる。
【００６１】
【発明の効果】
上述したように、消費電力減少のために液晶セルがデータラインに沿ってジグザグ型に配列された本発明に係る液晶表示パネルは、画素電極に溝を形成してデータラインと左右側画素電極との間に形成される第１及び第２寄生キャパシタ（Ｃｄｐ１、Ｃｄｐ２）との間の容量偏差を最小化できるようになる。これにより、本発明に係る液晶表示パネルは、第１及び第２寄生キャパシタ（Ｃｄｐ１、Ｃｄｐ２）との間の容量偏差による垂直クロストーク現象とともに非対称光漏れを最小化して画質を向上させることができるようになる。
【００６２】
以上説明した内容を通して当業者であれば本発明の技術思想を一脱しない範囲内で多様な変更及び修正ができる。
【図面の簡単な説明】
【図１】従来の液晶表示装置を図示した図面である。
【図２Ａ】液晶表示装置のフレームキインバージョン方式を説明するための図面である。
【図２Ｂ】液晶表示装置のフレームキインバージョン方式を説明するための図面である。
【図３Ａ】液晶表示装置のラインキインバージョン方式を説明するための図面である。
【図３Ｂ】液晶表示装置のラインキインバージョン方式を説明するための図面である。
【図４Ａ】液晶表示装置のコラムキインバージョン方式を説明するための図面である。
【図４Ｂ】液晶表示装置のコラムキインバージョン方式を説明するための図面である。
【図５Ａ】液晶表示装置のドットキインバージョン方式を説明するための図面である。
【図５Ｂ】液晶表示装置のドットキインバージョン方式を説明するための図面である。
【図６】本発明に係わる液晶表示装置を図示した図面である。
【図７】図６に図示された液晶表示パネルでのクロストークの発生原因を説明するための図面である。
【図８】本発明の実施の形態による液晶表示パネルの一部分を図示した図面である。
【符号の説明】
２、１２：  液晶表示パネル、４、１４：ゲートキドライバー、６、１６：  データキドライバー、８、１８：  タイミング制御部、ＴＦＴ：薄膜トランジスタ、３２：液晶セル、３４：溝。
【図１】
2004163888.tif 000003
【図２Ａ】
2004163888.tif 000004
【図２Ｂ】
2004163888.tif 000005
【図３Ａ】
2004163888.tif 000006
【図３Ｂ】
2004163888.tif 000007
【図４Ａ】
2004163888.tif 000008
【図４Ｂ】
2004163888.tif 000009
【図５Ａ】
2004163888.tif 000010
【図５Ｂ】
2004163888.tif 000011
【図６】
2004163888.tif 000012
【図７】
2004163888.tif 000013
【図８】
2004163888.tif 000014